(57)【特許請求の範囲】
【請求項１】
印刷装置本体と、
上記印刷装置本体に対して出し入れ可能に取り付けられ、内部には製版された孔版原紙が着版される版胴を備える複数個の版胴ユニットと、
上記複数個の版胴ユニットを同時に出し入れすることを規制する版胴出入規制手段と、
を具備したことを特徴とする孔版印刷装置。
【請求項２】
請求項１記載の孔版印刷装置において、
前記版胴出入規制手段は、
前記版胴ユニットの夫々に対応して設けられ前記版胴ユニットの取り出しを禁止するロック手段と、
前記ロック手段の夫々に対応して設けられ前記ロック手段の解除を指令する版胴解除スイッチと、
前記版胴の夫々に対応して設けられ前記版胴の回転位置にかかわるホームポジションを検出する検出手段と、
一つの前記版胴ユニットに対応する前記版胴解除スイッチの操作並びに対応する前記検出手段の検出があった場合には対応する前記ロック手段を解除すると共に他の前記版胴ユニットに対応する前記ロック手段の解除を禁止する制御手段と、
を備えることを特徴とする孔版印刷装置。
【請求項３】
請求項１記載の孔版印刷装置において、
前記版胴出入規制手段は、
前記版胴の夫々に対応して設けられ前記版胴の回転位置にかかわるホームポジションを検出する検出手段と、
前記検出手段により前記ホームポジションを同時に検出しないように前記版胴の夫々の位相差をもって同期回転駆動させる回転駆動手段と、
前記回転駆動手段により前記版胴が前記ホームポジションに至り停止している場合のみ対応する前記版胴ユニットの取り出しを許容する版胴取出手段と、
前記版胴取出手段により前記版胴ユニットを取り出した時、前記版胴の夫々の回転を禁止する回転ロック手段と、
を備えることを特徴とする孔版印刷装置。
【請求項４】
請求項１記載の孔版印刷装置において、
前記版胴出入規制手段は、
前記版胴ユニットの夫々に対応して設けられ前記版胴ユニットの取り出しを禁止するロック手段と、
前記ロック手段の夫々に対応して設けられ前記ロック手段の解除を行う版胴解除手段と、
前記版胴の夫々に対応して設けられ前記版胴の回転位置にかかわるホームポジションを検出する検出手段と、
前記版胴解除手段の一つのみを選択的に選択する版胴選択スイッチと、
一つの前記版胴ユニットに対して前記版胴選択スイッチによる選択と対応する前記検出手段の検出が有った場合には対応する前記版胴解除手段により前記ロック手段の解除を指令する選択解除制御手段と、
を備えることを特徴とする孔版印刷装置。
【発明の詳細な説明】
【０００１】
【発明が属する技術分野】
本発明は、孔版印刷装置に係り、印刷装置本体に対して複数個の版胴を出し入れ可能に備えたものにおいて、それら複数個の版胴を同時に出し入れすることを規制することにより、例えば、誤装着、すなわち、任意の版胴を別の版胴の挿入・装着位置にセットしてしまうということを防止できるように工夫したものに関する。
【０００２】
【従来の技術】
従来より、製版した孔版原紙を巻回した版胴を用いて、印刷用紙に印刷を施す孔版印刷装置がある。上記孔版印刷装置は、一般事務所で使用できる程操作が簡単であり、いわゆる「複写機」と同じ感覚で使用することができるという利点がある。そこで、従来の孔版印刷装置の構成を図１０を参照して説明する。
まず、原稿読取手段３０１があり、この原稿読取手段３０１は、ブックタイプのイメージスキャナーユニットとして構成されていて、印刷するための原稿を原稿セット面３０３の所定位置にセットし、カバー３０５によってその原稿を固定する。そして、図示しないイメージスキャナーを動作させて原稿に示されているデータを印刷データとして読み取っていく。
【０００３】
上記原稿読取手段３０１の下方位置には、製版手段３０７が配置されている。すなわち、まず原紙ロール３０９があり、この原紙ロール３０９には孔版原紙（以下、原紙と略称する）３１１が巻回されている。上記原紙ロール３０９の図１０中左側には、ラインサーマルヘッド３１３とプラテンローラ３１５が対向・配置されている。さらに、孔版原紙カッタ３１７、孔版原紙送りローラ３１９、３２１が対向・配置されている。又、版胴３２３が配置されていて、この版胴３２３を挟んで図１０中左側には、排版手段３２５が設置されている。この排版手段３２５には、排版ボックス３２７が設置されていて、この排版ボックス３２７の入口には排版送りローラ３２９、３３１が対向・配置されている。
【０００４】
上記構成をなす製版手段３０７においては、既に説明した原稿読取手段３０１によって読み取られた印刷データに基づいて、ラインサーマルヘッド３１３に設けられた複数個の点状発熱体が選択的に発熱し、それによって、原紙ロール３０９より供給される原紙３１１に穿孔・製版を施す。すなわち、原紙３１１は、例えば、不織布の一面側にＰＥＴフィルムを貼付けた構成になっていて、上記ＰＥＴフィルムの部分が上記点状発熱体の発熱によって溶融して穿孔され、それによって、製版が施されるものである。
【０００５】
上記穿孔・製版された原紙３１１は、プラテンローラ３１５、孔版原紙送りローラ３１９、３２１によって、版胴３２３方向に搬送され、その先端が、版胴３２３に設けられたクランプ機構３３３によってクランプされる。そして、版胴３２３が回転することにより、原紙３１１は版胴３２３の外周面に巻回されていく。そして、原紙３１１は予め設定されている長さの所において、原紙カッタ３１７によって切断されることになる。
【０００６】
一方、給紙手段３３５があり、この給紙手段３３５は給紙台３３７を備えていて、この給紙台３３７上には、複数枚の印刷用紙３３９が積層された状態で載置されている。又、上記印刷用紙３３９の上方であって、版胴３２３側には、ピックアップローラ３４１、サバキローラ３４３が配置されている。上記サバキローラ３４３の下方にはサバキ用パット３４５が配置されている。上記サバキローラ３４５の版胴３２３側には、レジストローラ３４７、３４９が対向・配置されている。そして、上記給紙台３３７は、図示しない駆動モータ及びセンサによって昇降可能に構成されていて、常時、最上位の印刷用紙３３９をピックアップローラ３４１に接触させるようにしている。そして、印刷用紙３３９を供給する場合には、まず、ピックアップローラ３４１とサバキローラ３４３が図示しない駆動モータによって回転し、最上位の印刷用紙３３９を送り出す。その際、仮に、２枚以上の印刷用紙３３９が重送されたような場合には、サバキローラ３５７とサバキ用パット３４５によって、重送された印刷用紙３３９を分離させる。
尚、版胴３２３内には印刷手段３５１が設けられているとともに、版胴３２３の図１０中下方には別の胴３５３が対向配置されている。又、印刷用紙３３９の排出側には排紙手段３５５と排紙ストッカ３５７が設置されている。
【０００７】
上記構成によると、原稿読取手段３０１によって印刷データを読み取り、それを製版手段３０７に転送する。製版手段３０７は転送された印刷データに基づいて、原紙３１１に穿孔・製版を施す。穿孔・製版を施された原紙３１１は、版胴３２３に巻回される。一方、給紙手段３３５より印刷用紙３３９が、版胴３２３と胴３５３の間に供給され、そこを通過する間に、印刷手段３５１によって印刷が施され、排紙手段３５５によって排紙ストッカ３５７内に排紙されることになる。
【０００８】
【発明が解決しようとする課題】
上記従来の構成によると次のような問題があった。
昨今、資源の有効利用の観点から、印刷においても、表面だけに印刷を施すのではなく、裏面に対しても印刷を施すことが要求されている。ところが、既に説明した従来の孔版印刷装置においては、印刷用紙３３９の表面及び裏面の両方に印刷を施す場合には、作業として、印刷用紙３３９の反転セット作業が必要となってしまう。つまり、一旦表面に印刷を施された印刷用紙３３９を表裏逆向きにして、再度、給紙手段３３５にセットする必要があり、煩雑な作業を余儀無くされてしまうという問題があった。
このような問題に対して、例えば、前述したような版胴を２個対向・配置させて、夫々の版胴に表面印刷用の原紙と裏面印刷用の原紙を巻回し、それら２個の版胴間に印刷用紙を供給し、その両面に印刷を同時に施そうとするものが知られている。
しかしながら、そのような２個の版胴をもつ構成のものにおいては、別の問題があった。例えば、インクの補充、色換えのための版胴の交換、印刷用紙や孔版原紙のジャミング処理、等の作業を行うために、上記版胴を印刷装置本体から引き出すことがある。その際、２個の版胴が同時に引き出せるような構成になっていた場合には、一方の版胴を他方の版胴の挿入・装着位置に誤ってセットしてしまうような誤装着が生じてしまうことが予想される。特に、２個の版胴が外径等の構成において相互に互換性が有る場合にはそのような誤装着が発生する可能性が高くなる。このような誤装着が生じた場合には、当然のことながら、所望の印刷を行うことはできなくなってしまう。このような点に関して、従来の装置においては特にその対策が施されていないのが現状であり、その改善が望まれていた。
【０００９】
本発明はこのような点に基づいてなされたものでその目的とするところは、複数の版胴を有する孔版印刷装置において、複数個の版胴を同時に出し入れすることを規制し、それによって、版胴を誤った場所に装着する等、誤装着の発生を未然に防止することができる孔版印刷装置を提供することにある。
【００１０】
【課題を解決するための手段】
上記目的を達成するべく本願発明による孔版印刷装置は、印刷装置本体と、上記印刷装置本体に対して出し入れ可能に取り付けられ、内部には製版された孔版原紙が着版される版胴を備える複数個の版胴ユニットと、上記複数個の版胴ユニットを同時に出し入れすることを規制する版胴出入規制手段と、を具備したことを特徴とするものである。
その際、前記版胴出入規制手段を、前記版胴ユニットの夫々に対応して設けられ前記版胴ユニットの取り出しを禁止するロック手段と、前記ロック手段の夫々に対応して設けられ前記ロック手段の解除を指令する版胴解除スイッチと、前記版胴の夫々に対応して設けられ前記版胴の回転位置にかかわるホームポジションを検出する検出手段と、一つの前記版胴ユニットに対応する前記版胴解除スイッチの操作並びに対応する前記検出手段の検出があった場合には対応する前記ロック手段を解除すると共に他の前記版胴ユニットに対応する前記ロック手段の解除を禁止する制御手段と、から構成することが考えられる。
又、前記版胴出入規制手段を、前記版胴の夫々に対応して設けられ前記版胴の回転位置にかかわるホームポジションを検出する検出手段と、前記検出手段により前記ホームポジションを同時に検出しないように前記版胴の夫々の位相差をもって同期回転駆動させる回転駆動手段と、前記回転駆動手段により前記版胴が前記ホームポジションに至り停止している場合のみ対応する前記版胴ユニットの取り出しを許容する版胴取出手段と、前記版胴取出手段により前記版胴ユニットを取り出した時、前記版胴の夫々の回転を禁止する回転ロック手段と、から構成することが考えられる。
さらに、前記版胴出入規制手段を、前記版胴ユニットの夫々に対応して設けられ前記版胴ユニットの取り出しを禁止するロック手段と、前記ロック手段の夫々に対応して設けられ前記ロック手段の解除を行う版胴解除手段と、前記版胴の夫々に対応して設けられ前記版胴の回転位置にかかわるホームポジションを検出する検出手段と、前記版胴解除手段の一つのみを選択的に選択する版胴選択スイッチと、一つの前記版胴ユニットに対して前記版胴選択スイッチによる選択と対応する前記検出手段の検出が有った場合には対応する前記版胴解除手段により前記ロック手段の解除を指令する選択解除制御手段と、から構成することが考えられる。
【００１１】
【作用】
すなわち、本願発明の孔版印刷装置の場合には、複数個の版胴ユニットを同時に出し入れすることを、版胴出入規制手段によって規制し、それによって、版胴ユニットを誤った場所に装着する等、誤装着の発生を未然に防止するようにしたものである。
例えば、複数個の版胴ユニットに対応して版胴ユニットの出し入れを指令する版胴解除スイッチを設けるとともに、各版胴のホームポジョンを夫々異ならせておき、版胴出入規制手段によって、任意の版胴ユニットに関してそれに対応する解除スイッチが操作されていて、且つ、それに対応する版胴がホームポジションに停止している場合に、その版胴の出し入れを許容することが考えられる。
【００１２】
【発明の実施の形態】
以下、図１乃至図９を参照して、本発明の第１の実施の形態を説明する。図１は、本実施の形態による孔版印刷装置の外観を示す図であり、その内部構造は図２に示すようになっている。本実施の形態による孔版印刷装置は、基本的に、２個の版胴１、３（第１の版胴１と第２の版胴３）、これら２個の版胴１、３の間に配置された転写胴５を備えていて、これら２個の版胴１、３と転写胴５の回りに、原稿読取手段７、製版手段９、排版手段１１、１３、給紙手段１５、印刷手段１７、１９、排紙手段２１、クリーニング手段２２等を配置した構成になっている。
尚、上記版胴１、３と転写胴５は全て同じ外径となっている。
【００１３】
以下、各部の構成を詳細に説明していくと、まず、原稿読取手段７は、ブックタイプのイメージスキャナーユニットとして構成されていて、印刷するための原稿を原稿セット面２３の所定位置にセットし、カバー２５によってその原稿を固定する。そして、図示しないイメージスキャナーを動作させて原稿に示されているデータを読み取っていく。或いは、シート状の原稿であれば、原稿トレイ２４にシート状の原稿を載置し、図示しない搬送手段によって原稿セット面２３の所定位置に搬送しセットを行ない、上記と同様にデータを読み取っていく。
【００１４】
上記原稿読取手段７の下方位置には、既に述べた製版手段９が配置されている。すなわち、まず原紙ロール２７があり、この原紙ロール２７には原紙２９が巻回されている。上記原紙ロール２７の図２中左側には、ラインサーマルヘッド３１とプラテンローラ３５が対向・配置されている。さらに、孔版原紙カッタ３７、孔版原紙送りローラ３９、４１が対向・配置されている。又、上記版胴１を挟んで図２中左側には、既に述べた排版手段１１が設置されていて、この排版手段１１は、排版ボックス４３を備えていて、この排版ボックス４３の入口には排版送りローラ４５、４７が対向・配置されている。
【００１５】
上記構成をなす製版手段９においては、既に説明した原稿読取手段７によって読み取られた印刷データに基づいて、ラインサーマルヘッド３１に設けられた複数個の点状発熱体が選択的に発熱し、それによって、原紙ロール２７側より供給される原紙２９に穿孔・製版を施す。すなわち、原紙２９は、例えば、不織布の一面側にＰＥＴフィルムを貼付けた構成になっていて、上記ＰＥＴフィルムの部分が上記点状発熱体の発熱によって溶融して穿孔され、それによって、製版が施されるものである。
【００１６】
上記穿孔・製版された原紙２９は、プラテンローラ３５、孔版原紙送りローラ３９、４１によって、版胴１方向に搬送され、その先端が、版胴１に設けられたクランプ機構４９によってクランプされる。そして、版胴１が回転することにより、原紙２９は版胴１の外周面に巻回されていく。そして、予め設定されている長さの所において、原紙カッタ３７によって切断されることになる。
尚、排版手段１３については、上記排版手段１１と同様の構成になっているので、図中同一部分には同一符号を付して示しその説明は省略する。
【００１７】
次に、給紙手段１５の構成について説明する。まず、給紙台５１があり、この給紙台５１上には、複数枚の印刷用紙５３が積層された状態で載置されている。又、上記印刷用紙５３の上方であって、転写胴５側には、ピックアップローラ５５、サバキローラ５７が配置されている。上記サバキローラ５７の下方にはサバキ用パット５９が配置されている。上記サバキローラ５７の転写胴５側には、レジストローラ６１、６３が対向・配置されている。そして、上記給紙台５１は、図示しない駆動モータ及びセンサによって昇降可能に構成されていて、常時、最上位の印刷用紙５３をピックアップローラ５５に接触させるようにしている。
【００１８】
そして、印刷用紙５３を供給する場合には、まず、ピックアップローラ５５とサバキローラ５７が図示しない駆動モータによって回転し、最上位の印刷用紙５３を送り出す。その際、仮に、２枚以上の印刷用紙５３が重送されたような場合には、サバキローラ５７とサバキ用パット５９によって、重送された印刷用紙５３を分離させる。つまり、サバキローラ５７とサバキ用パット５９との間は１枚の印刷用紙５３のみが通過できるように設定されている。よって、レジストローラ６１、６３側には１枚の印刷用紙５３のみが供給されることになる。そして、供給された印刷用紙５３の先端が、上記レジストローラ６１、６３との接点位置まで到ったところで、上記ピックアップローラ５５とサバキローラ５７の回転駆動を一旦停止させて待機状態にする。そして、版胴１、３、転写胴５側の回転のタイミングに合わせて、給紙のタイミングに到ったところで、上記レジストローラ６１、６３を図示しない駆動モータによって回転させ、印刷用紙５３を版胴１と転写胴５の間に供給する。
【００１９】
ここで、版胴１、３、転写胴５の回転駆動について説明すると、図３に示すように、まず、駆動モータ６５があり、この駆動モータ６５の回転軸にはプーリ６７が固着されている。一方、転写胴５側にもプーリ６９が同軸に固着されていて、このプーリ６９と上記プーリ６７にはベルト７１が巻回されている。よって、駆動モータ６５が回転駆動することにより、プーリ６７、ベルト７１、プーリ６９を介して、転写胴５が図３中矢印ａで示す方向に回転することになる。又、転写胴５にはギヤ７３が同軸に固着されていて、このギヤ７３にはギヤ７５が噛合していて、このギヤ７５にはギヤ７７が噛合している。そして、版胴１側には、図５に示すように、ギヤ７８、７８がシャフト８０を介して同軸に配置されている。又、上記ギヤ７８、７８には、図３、図５に示すギヤ７９、７９が噛合している。よって、図５に示す状態において、版胴１を印刷装置本体内に挿入・装着して、シャフト８０をギヤ７７側に連結させることにより、転写胴５が回転すると、ギヤ７３、７５、７７、７８、７８、７９、７９を介して、版胴１が図３中矢印ｂで示す方向に回転することになる。
【００２０】
同様に、上記ギヤ７３にはギヤ８１が噛合していて、このギヤ８１にはギヤ８３が噛合している。又、版胴３には、版胴１の場合と同様に、図５に示すように、ギヤ７８、７８がシャフト８０を介して同軸に配置されている。又、上記ギヤ７８、７８には、図３、図５に示すギヤ７９、７９と同様にギヤ８５、８５が噛合する関係にある。よって、図５に示す状態において、版胴３を印刷装置本体内に挿入・装着して、シャフト８０をギヤ８３側に連結させることにより、転写胴５が回転すると、ギヤ７３、８１、８３、７８、７８、８５、８５を介して、版胴３が図３中矢印ｃで示す方向に回転することになる。
尚、上記駆動伝達機構に関しては、あくまで一例を示すものであって、様々な回転伝達の構成が考えられるものである。
【００２１】
次に、印刷手段１７、１９の構成について説明する。
尚、印刷手段１７、１９は同じ構成をなしているので、印刷手段１７を例にとって説明していく。
図２、図４に示すように、版胴１内には、スキージーローラ８７、ドクターローラ８９、リフトローラ９１、リフトカム９３、リフトレバー９５、レバー戻しバネ９７、レバー検出センサー９９が内蔵されている。又、図５に示すように、版胴１内には、フレーム１０１、１０３が内蔵されていて、別のフレーム１０５、１０７がアングル１０９に図示しないネジによって固定されている。上記アングル１０９は、フレーム１１５、１１７の間に図示しないネジによって固定されたレール１２３上を、ローラ１２５、１２７を介して、図５中左右方向に移動可能に配置されている。
【００２２】
上記ドクターローラ８９は、上記フレーム１０１、１０３の間において、軸受部材１２９、１３１によって、軸８９ａ、８９ａを介して、回転可能に支持されている。又、スキージーローラ８７は、リフトレバー９５、９５に支えられ、軸受部材１３３、１３５によって、軸８７ａ、８７ａを介して、回転可能に支持されている。又、上記ドクターローラ８９とスキージーローラ８７との接点部には、図示しないインク供給機構部よりインク１３７が適宜供給されるようになっている。
【００２３】
そして、印刷待機時には、図４に示すような状態になっていて、リフトカム９３の凸面がリフトローラ９１を押し上げていて、リフトレバー９５がセンサー９９を遮蔽した状態になっている。
一方、印刷時においては、図６及び図７に示すように、まず、ギヤ１３９が図示しない駆動モータによって回転され、それによって、噛合しているギヤ１４１が回転する。リフトカム９３は、上記ギヤ１４１に対して同軸に固着されているので、ギヤ１４１の回転によってリフトカム９３も回転することになる。そして、図４に示す状態から１８０°だけ、リフトカム９３が回転する。このリフトカム９３の回転によって、リフトローラ９１に対する押上付勢が解除されるので、リフトレバー９５がレバー戻しバネ９７のバネ力によって軸８９ａを回動中心として回動し、それによって、スキージーローラ８７が図６に示すように、図中下方に移動することになる。そてし、版胴１を転写胴５に押し付けるように作用する。それと同時に、センサー９９の遮蔽も解除される。このような状態で印刷が実施されることになる。
尚、既に述べたように、印刷手段１９側についても同様の構成になっており、同一部分には同一符号を付して示しその説明は省略する。但し、版胴１側における印刷は、版胴１と転写胴５との間に給紙手段１５によって供給される印刷用紙５３の表面に対して行われるものであり、これに対して、版胴３側における印刷は転写胴５に対して行われるものであり、その転写胴５に一旦転写された画像が上記印刷用紙５３の裏面に印刷されるものである。
【００２４】
次に、排紙手段２１の構成を説明する。排紙手段２１は、印刷用紙分離爪１４３と、排紙ガイド１４５と、排紙台１４７と、排紙ストッパ１４９とから構成されている。印刷された印刷用紙５３は、転写胴５に設けられた印刷用紙保持手段１５１がその先端を開放することにより、上記用紙分離爪１４３によって、転写胴５より剥がされる。剥がされた印刷用紙５３は、排紙ガイド１４５によってガイドされながら、排紙ストッパ１４９に衝突するまで飛翔することになり、排紙ストッパ１４９に衝突した後排紙台１４７上に積層されていく。
【００２５】
次に、クリーニング手段２２の構成について説明する。クリーニング手段２２は、図２に示すように、クリーニング液１５３を収容した槽１５５、クリーニングローラ１５７、１５９、１６１、洗浄布１６３、洗浄布巻取ローラ１６５、従動ローラ１６７、押圧ローラ１６９等から構成されている。
上記構成のクリーニング手段２２によって洗浄を行う場合には、まず、版胴１、３と転写胴５とを離間させた状態とし、転写胴５を駆動モータ６５によって矢印ａの方向に回転させる。次に、図示しない駆動モータとクラッチによって、クリーニングローラ１６１を転写胴５に押し付けた状態とする。それによって、まず、クリーニング液１５３が、クリーニングローラ１５７、１５９、１６１を介して、転写ドラム５の外周面に塗布されていく。このクリーニング液１５３の塗布によって、転写胴５の外周面に付着しているインクが拭き取り易い状態となる。この状態で、クリーニングローラ１６１の転写胴５に対する押圧を解除する。
【００２６】
次に、押圧ローラ１６９を転写胴５に押し付け、押圧ローラ１６９を介して洗浄布１６３が転写胴５に押し付けられ、拭き取り易くなったインクと洗浄液１５３とを共に拭き取っていく。そして、拭き取り作業が所定範囲で終了したら、押圧ローラ１６９の転写胴５に対する押圧を解除する。次に、図示しない駆動モータによって洗浄布巻取ローラ１６５を回転させてインクを拭き取って汚れた洗浄布１６３を巻き取ると同時に、従動ローラ１６７によって、未使用の洗浄布１６３を押圧ローラ１６９の部分に供給して、次の洗浄に備える。
【００２７】
次に、版胴１、版胴３の印刷装置本体内からの引き出しを規制する電気式ロック手段の構成を説明する。図５に示すように、フレーム１１５には、電気式ロック機構１８１が設けられている。この電気式ロック機構１８１は、ロック機構本体１８１ａと、このロック機構本体１８１ａに対して回動可能に取り付けられたフック１８１ｂとから構成されている。一方、版胴１のフレーム１０５には、開口部１８３が形成されている。そして、版胴１を印刷装置本体内に挿入・装着した状態で、上記電気式ロック機構１８１のフック１８１ｂを回動させることにより、フック１８１ｂの先端を上記開口部１８３に係合させる。それによって、版胴１の印刷装置本体からの引き出しを規制するものである。
尚、同様の電気式ロック機構１８１が、版胴３側にも設けられている。
【００２８】
ここで、版胴１、版胴３のホームポジションに関して説明する。図２、図３に示すように、版胴１のホームポジションと版胴３のホームポジションはずらして設定されている。版胴１についてみてみると、版胴１側には検出部材２３１が取り付けられいて、一方、版胴１の外周側には検出センサー２３３が配置されている。よって、検出センサー２３３によって検出部材２３１を検出することにより、版胴１がホームポジションに位置していることを検知することができる。
同様に、版胴３側にも、検出部材２３５、検出センサー２３７が設置されていて、検出センサー２３７によって検出部材２３５を検出することにより、版胴３がホームポジションに位置していることを検知することができる。
そして、上記したように、版胴１のホームポジションと版胴３のホームポジションはずらして設定されており、図２、図３に示すように、版胴１がホームポジションに位置している時には、版胴３がホームポジションに位置することがないように設定されている。
【００２９】
次に、版胴１、版胴３を印刷装置本体より引き出した状態で、版胴１、版胴３の回転を規制する版胴回転規制手段１８５の構成を説明する。図５に示すように、まず、版胴１側にはロック部材１８７が取り付けられていて、このロック部材１８７は弾性部材１８９によって、図５中常時左方向に付勢されている。又、印刷装置本体側にはピン１９１が設けられている。そして、版胴１を印刷装置本体内に挿入・装着した状態では、ピン１９１によって、ロック部材１８７が、弾性部材１８９の付勢力に抗して、図５中右方向に付勢されるので、ロック部材１８７がギヤ７８より離間し、版胴１に対する回転規制が解除される。
これに対して、版胴１を印刷装置本体から引き出すことにより、ピン１９１による上記付勢が解除されるので、ロック部材１８７は弾性部材１８９の付勢力によって、図５中左側に移動せられ、それによって、ギヤ７８に当接してこれを押圧することになる。それによって、版胴１の回転が規制されるものである。
このように、版胴１を引き出した状態で、版胴１の回転を規制することにより、版胴１の回転方向位置が不用意にずれることを防止し、次に、版胴１を印刷装置本体内に挿入・装着する場合に、その回転方向位置を探すといった煩雑な作業を無くすことができる。
尚、同様の版胴回転規制手段１８５が版胴３側にも設けられている。
【００３０】
又、図５に示すように、版胴１と印刷装置本体はコネクター１９３を介して、各種信号の授受が可能になる。上記各種信号としては、版胴１のインク色識別信号、スキージーローラ８７の版胴１方向への押圧に関する信号である。上記コネクター１９３は、印刷装置本体側に取り付けられたコネクター要素１９３ａと、版胴１側に取り付けられたコネクター要素１９３ｂとから構成されている。そして、版胴１を印刷装置本体内に挿入・装着することにより、上記コネクター要素１９３ａ、１９３ｂが接続され、それによって、版胴１と印刷装置本体側とが電気的に接続される。又、上記コネクター１９３は、版胴１の印刷装置本体に対する挿入・装着を検出するセンサーとしても機能しており、上記コネクター要素１９３ａ、１９３ｂが接続されることにより、版胴１が印刷装置本体側に挿入・装着されたことを検出するようになっている。
又、既に説明した電気式ロック機構１８１との関係で説明すると、版胴１を印刷装置本体内より引き出しているときには、当然のことながら、電気式ロック機構１８１によるロックは解除されていて、フック１８１ｂは図５中実線で示す状態にある。その状態で、版胴１を印刷装置本体内に挿入・装着すると、それが上記コネクター要素１９３ａ、１９３ｂの接続により検出され、該検出によって電気式ロック手段１８１に指令信号が出力される。それによって、電気式ロック機構１８１のフック１８１ｂが、図５中破線で示すような状態となり、それによって、フック１８９ｂが開口部１８３に係合して、ロック状態を構成する。つまり、版胴１の引き出しを規制する。
尚、上記コネクター１９３は版胴３側にも同様に設けられている。
【００３１】
次に、制御手段１９１の構成を図８を参照して説明する。まず、制御手段１９１は、ＣＰＵ（中央演算処理装置）１９３を備えていると共に、論理積素子１９５、論理積素子１９７、論理積素子１９９、論理積素子２０１を備えている。又、論理素子２０３、２０５、論理積素子２０７、否定論理和素子２０９が設けられている。又、制御手段１９１には、印刷スタートスイッチ２１１、印刷停止スイッチ２１３、各種センサー２１５、第１版胴解除スイッチ２１７、第２版胴解除スイッチ２１９から信号が入力されるようになっている。又、制御手段１９１からは、メインの駆動モータ６７、各種のアクチュエータ２２１、電気式ロック機構１８１、１８１に制御信号が出力されるようになっている。
上記各種センサー２１５としては、版胴１、版胴３のホームポジションを検出するための検出センサー２３３、２３７、図５に示すインクカートリッジ２４１の色を判別するインクカートリッジ色判別センサー２４３、又、版胴１、版胴３の挿入・装着の有無を検出するコネクター１９３、１９３がある。又、上記アクチュエータ２２１としては、図５に示すステッピングモータ２４５等がある。上記ステッピングモータ２４５は、スキージーローラ８７等の回転、移動を制御するものである。
尚、制御手段１９１のオン・オフは、メインスイッチ２１２によって行われる。又、該メインスイッチ２１２及び既に述べた各種スイッチは、図１に示すような位置に配置されている。
【００３２】
以上の構成を基に、両面印刷を行う場合の作用を説明する。まず、印刷用紙５３の表面に印刷するための原稿を原稿セット面２３上にセットして、カバー２５によってカバーをし、その状態で、前述のイメージスキャナーによって原稿を読み取る。読み取った印刷データは電気信号に変換されて製版手段９のラインサーマルヘッド３１に転送される。一方、原紙ローラ２７に巻回されている原紙２９が供給され、その原紙２９に対して、ラインサーマルヘッド３１により穿孔・製版を施す。穿孔・製版された原紙２９は、ローラ３９、４１によって版胴１方向に搬送され、版胴１のクランプ機構４９によって吸着・保持される。後は、版胴１が回転することにより、穿孔・製版された原紙２９が版胴１の外周に巻回され、予め設定されている長さの所において、原紙カッタ３７によって切断され、表面に付着しているインクによって吸着・保持され、着版が完了する。
【００３３】
次に、印刷用紙５３の裏面に印刷するための原稿を原稿セット面２３上にセットして、カバー２５によってカバーをし、その状態で、前述のイメージスキャナーによって原稿を読み取る。読み取った印刷データは電気信号に変換されて製版手段９のラインサーマルヘッド３１に転送される。一方、原紙ローラ２７側からは原紙２９が供給され、その原紙２９に対して、ラインサーマルヘッド３１により穿孔・製版を施す。穿孔・製版された原紙２９は、ローラ３９、４１によって版胴１方向に搬送され、版胴１のクランプ機構４９によって吸着・保持される。ここまでは表面印刷用の場合と同じであるが、そこから、上記穿孔・製版された原紙２９を、転写胴５を介して、別の版胴３に受渡して巻回することになる。
つまり、版胴１のクランプ機構４９によって保持された原紙２９は、転写胴５の静電吸着プレート２１７に受け渡され、次いで、版胴３のクランプ機構４９に受け渡されることになり、後は、版胴３の外周面に巻回されることになる。
尚、版胴１、転写胴５、版胴３は外径が等しく、同期して回転駆動される構成になっており、よって、夫々のクランプ機構４９、静電吸着機構２１７、クランプ機構４９を受渡し可能な位置に配置することにより、上記受渡し動作が可能になるものである。
【００３４】
次に、印刷動作について説明する。まず、給紙手段１５より印刷用紙５３が、版胴１と転写胴５の間に供給される。印刷された印刷用紙５３は、その先端を印刷用紙保持手段１５１によって、転写胴５上に保持される。そして、印刷用紙５３は版胴１と転写胴５で挟持され通過していき、その際、印刷用紙５３の表面側には版胴１側より印刷手段１７によって印刷が施され、一方、印刷用紙５３の裏面側には版胴３より一旦転写胴５側に転写された画像が印刷されることになる。そして、印刷を施された印刷用紙５３は、所定のタイミングで印刷用紙保持手段１５１の保持が解除され、排紙手段２１を介して、排紙されることになる。
印刷終了後、必要に応じて転写胴５にクリーニング手段２２によってクリーニングが施されることになる。
【００３５】
次に、版胴１、版胴３の出し入れに関する作用を説明する。図８に示した制御手段１９１は、所定の条件の下に、電気式ロック機構１８１、１８１によるロックを解除して、版胴１又は版胴３の出し入れを可能するために機能するものである。上記所定の条件としては、まず、第１版胴解除スイッチ２１７、又は第２版胴解除スイッチ２１９が操作されていることが挙げられる。これは、第１版胴解除スイッチ２１７、又は第２版胴解除スイッチ２１９からの信号（Ａ）、（Ｂ）により判別され、それら信号（Ａ）、（Ｂ）は論理積素子１９５、１９７、及びＣＰＵ１９３に入力される。
次に、版胴１、版胴３がホームポジションに位置していること（尚、既に説明したように、版胴１、版胴３の両方が同時にホームポジションに位置することはない）、版胴１、版胴３、転写胴５の回転が停止していること、印刷が停止してることが挙げられる。これらの条件は、ＣＰＵ１９３が各種センサー２１５等からの信号に基づいて判別することになり、それらの条件が揃っているか否かが、信号（ＣA ）、（ＣB ）として、論理積素子１９５、１９７に入力される。
そして、制御手段１９１は、上記信号（Ａ）、（Ｂ）、（ＣA ）、（ＣB ）に基づいて、制御信号（Ａ’）、（Ｂ’）を電気式ロック装置１８１、１８１に出力するものである。
尚、上記各信号は、信号「Ｈ」（解除）或いは信号「Ｌ」（ロック）の何れかである。
【００３６】
ここで上記各信号についてさらに詳しく説明すると、まず、第１版胴解除スイッチ２１７、第２版胴解除スイッチ２１９から出力される信号（Ａ）、（Ｂ）であるが、これらは、該スイッチ２１７、２１９を操作するこにより、「Ｈ」信号が出力され、非操作時においては「Ｌ」信号となる。
次に、ＣＰＵ１９３から論理積回路１９５、１９７に出力される信号（ＣA ）、（ＣB ）についてみてみる。これら信号（ＣA ）、（ＣB ）は通常は「Ｌ」信号となっていて、上記第１版胴解除スイッチ２１７又は第２版胴解除スイッチ２１９が操作されて、メインの駆動モータ６７により対応する版胴がホームポジションに停止するとともに、版胴１、版胴３において、スキージーローラ８７、８７の版胴１、３への押圧が解除され、版胴１、３が転写胴５胴より離間することにより、「Ｈ」信号となる。つまり、版胴１、版胴３、転写胴５の回転が停止するとともに、版胴１又は版胴３がホームポジションに位置して印刷手段が動作を停止して、且つ、上記第１版胴解除スイッチ２１７又は第２版胴解除スイッチ２１９が操作されて始めて「Ｈ」信号を出力するものである。
尚、上記メインの駆動モータ６７の停止については、制御信号（Ａ’）、（Ｂ’）が否定論理和素子２０９に入力され、該否定論理和素子２０９の出力が論理積回路２０７に入力され、上記制御信号（Ａ’）、（Ｂ’）の何れか一方が「Ｈ」信号であるときに停止が維持されることになる。
そして、論理積回路１９９、２０１から、電気式ロック機構１８１、１８１に出力される信号を（Ａ’）、（Ｂ’）は、上記第１版胴解除スイッチ２１７、第２版胴解除スイッチ２１９から出力される信号（Ａ）、（Ｂ）と、ＣＰＵ１９３から論理積回路１９５、１９７に出力される信号（ＣA ）、（ＣB ）との組み合わせによって、一義的に決定されることになる。
【００３７】
そこで、それらの信号の組み合わせをみると、図９に示すように１２通りのものが考えられる。それら１２通りの組み合わせをみてみると、論理積回路１９９からの信号（Ａ’）と、論理積回路２０１からの信号（Ｂ’）の両方が「Ｌ」の場合、何れか一方が「Ｈ」で他方が「Ｌ」の場合だけである。つまり、電気式ロック手段１８１、１８１の両方がロック状態にあるか、或いは、何れか一方がロック状態であって他方がロックを解除した状態にある場合だけである。
すなわち、この実施の形態においては、電気式ロック機構１８１、１８１の両方のロックが解除されることはない構成になっており、版胴１、版胴３の両方を同時に引き出すことができない構成になっている。
【００３８】
図９に関して、さらに詳しくみてみると、例えば、組み合わせ「７」、「８」、「９」においては、第１版胴解除スイッチ２１７のみが操作されていて、「Ｈ」信号が出力されている。その場合、他の条件が揃えば、ＣＰＵ１９３より「Ｈ」信号が出力され（組み合わせ「８」の場合）、その結果、制御信号（Ａ’）のみが「Ｈ」信号となって、版胴１の電気式ロック機構１８１によるロックが解除され、版胴１の引抜きが可能となる。そのさき、版胴３側については引抜きはできないようになっている。又、組み合わせ「７」、「９」においては、ＣＰＵ１９３より「Ｌ」信号が出力されていて、他の条件が揃っていないと判別されているので、たとえ、第１版胴解除スイッチ２１７が操作されていても解除信号は出力されない。
【００３９】
次に、組み合わせ「１０、「１１」、「１２」の場合であるが、これは、第２版胴解除スイッチ２１９のみが操作された場合であり、上記した場合と同様に、他の条件が揃っているとＣＰＵ１９３が判別した場合のみ（組み合わせ「１１」）、制御信号（Ｂ’）が「Ｈ」信号となり、版胴３の電気式ロック機構１８１によるロックが解除されて、版胴３の引抜きが可能となる。
次に、組み合わせ「１」、「２」、「３」であるが、この場合には、第１版胴解除スイッチ２１７、第２版胴解除スイッチ２１９の両方が操作された場合である。この場合には、基本的に版胴１、版胴３の両方が同時にホームポジションに位置することはないので、ＣＰＵ１９３の信号（ＣA ）、（ＣB ）の両方が「Ｈ」となることはなく、よって、制御信号（Ａ’）、（Ｂ’）の両方が「Ｈ」信号となることはない。そして、何れか一方の版胴がホームポジションに位置することにより、そちら側のみ引抜き可能な状態となる。
仮に、ホームポジションの検出センサー２３３、２３５の誤動作で、版胴１、版胴３の両方が見かけ上ホームポジションに位置したとき、或いは、上記駆動伝達機構以外の構成によって、版胴、版胴３が同時にホームポジションに位置することがあっても、図８に示した論理素子２０３、２０５の働きによって、相互に相手の制御信号Ａ’、Ｂ’を「Ｌ」信号として、両方の版胴１、版胴３の引抜きを不可能とする。
さらに、組み合わせ「４、「５」、「６」の場合には、第１版胴解除スイッチ２１７、第２版胴解除スイッチ２１９の両方が操作されてはいないので、他の条件が揃っているか否かに関係なく、解除信号が出力されることはない。
【００４０】
以上本実施の形態によると次のような効果を奏することができる。
まず、印刷用紙５３に対して、表面及び裏面の同時印刷を行うことができ、版胴１と版胴３の両方を、印刷装置本体から同時に引き出すことはできない構成になっており、それによって、版胴の誤装着等を防止することができる。例えば、両方の版胴１、版胴３を同時に引き出すことができる構成になっている場合には、両方の版胴１、版胴３を引き抜いた状態で、一方の版胴を他方の版胴の取付箇所に誤って挿入・装着してしまうようなことが考えられる。これに対して、本願発明の場合には、一方の版胴の引き出しが許容された状態において、他方の版胴は引き出すことができない構成になっているので、前述のような版胴の誤装着を防止することができる。
又、版胴１、版胴３の引き抜きを許容するに際しては、単に、第１版胴解除スイッチ２１７、又は、第２版胴解除スイッチ２１９の操作のみではなく、他の条件、すなわち、版胴１、版胴３、転写胴５の回転の停止、印刷手段の動作の停止、対応する版胴がホームポジションに位置していることが必要となるので、版胴１、版胴３の出し入れによって印刷装置の機能が損なわれるようなこともない。
【００４１】
次に、本発明の第２の実施の形態を説明する。すなわち、前記第１の実施の形態においては、版胴の電気式ロック機構１８１、１８１が同時に解除されないように、一つの版胴のロックの解除を許容する場合には、他方の版胴のロックの解除を禁止する手段が設けられ、制御手段１９１内の論理素子２０３、２０５がこの役目をしていた。従って、版胴１、版胴３の両方が同時にホームポジションに位置するタイミングになっても、両方の版胴を同時に引き出すことはできないものであった。
これに対して、本願発明の第２の実施の形態は、図３で説明した駆動伝達機構、すなわち、版胴の回転位置にかかわるホームポジションを検出する検出手段によりこのホームポジションを同時に検出しないように、版胴の夫々の位相差をもって同期回転させる回転駆動手段を備え、さらに、例えば、この回転駆動手段を手動或いは微動作動させ希望する版胴をホームポジションに停止できるようにしておき、停止後はその版胴を備える版胴ユニットを取出可能として、取り出した時は、その版胴と前記回転駆動手段の回転を禁止する回転ロック手段とを備えている。
この場合には、二つの版胴が同時に引き出される位置が存在しない上、一方を引き出した時、残された版胴の回転が禁止されるので、同時に引き出される状態が発生することが生じなく、確実に引き出しが禁止されるという効果を奏することができる。
【００４２】
次に、本発明の第３の実施の形態を説明する。すなわち、前記第１の実施の形態においては、ロック手段の解除を指令する版胴解除スイッチを夫々の版胴に対応して設けていたが、スイッチを一つ備え、このスイッチで対応する版胴の一つのみが選択できるように構成してもよい。
この場合には、前記第１の実施の形態と比べ、スイッチが一つ減り、一つの版胴のロックの解除を許容する場合に他方の版胴のロックの解除を禁止する手段、すなわち、制御手段１９１内の論理素子２０３、２０５のような素子を必要としない上、前記第１の実施の形態と同様に二つの版胴を同時に引き出すことが禁止され、版胴の誤装着を防止することができる。
【００４３】
尚、本発明は前記各実施の形態に限定されるものではない。両面印刷或いは片面印刷であっても、要は、複数個の版胴を備える孔版印刷装置において、それら複数個の版胴を同時に出し入れすることを規制するようなものであればよい。
【００４４】
【発明の効果】
以上詳述したように本発明による孔版印刷装置よると、複数個の版胴を備えた孔版印刷装置において、複数個の版胴を同時に引き抜くことを規制するように構成しているので、版胴の誤装着といった事態の発生を防止することが可能となる。
【図面の簡単な説明】
【図１】本発明の第１の実施の形態を示す図で、孔版印刷装置の外観を示す斜視図である。
【図２】本発明の第１の実施の形態を示す図で、孔版印刷装置の内部構成の概略を示す側面図である。
【図３】本発明の第１の実施の形態を示す図で、孔版印刷装置の内部構成の概略及び版胴と転写胴を回転させる回転伝達機構の構成を示す側面図である。
【図４】本発明の第１の実施の形態を示す図で、版胴内部の構成を非印刷時の印刷手段の構成を中心にして示す側面図である。
【図５】本発明の第１の実施の形態を示す図で、版胴内部の構成であって印刷手段を中心にして示す断面図である。
【図６】本発明の第１の実施の形態を示す図で、版胴内部の構成を印刷時の印刷手段の構成を中心にして示す側面図である。
【図７】本発明の第１の実施の形態を示す図で、印刷手段のリフトカムの回転動作を示す側面図である。
【図８】本発明の第１の実施の形態を示す図で、制御手段の構成を示すブロック図である。
【図９】本発明の第１の実施の形態を示す図で、制御手段における論理積の組み合わせを示す図である。
【図１０】従来例を示す図で孔版印刷装置の要部を模式的に示す側面図である。
【符号の説明】
１  版胴（第１の版胴）
３  版胴（第２の版胴）
５  転写胴
７  原稿読取手段
９  製版手段
２８  原稿
２９  原紙
１８１  電気式ロック手段
１８５  版胴回転規制手段
１９１  制御手段
【図１】
0003682125.tif 000002
【図２】
0003682125.tif 000003
【図３】
0003682125.tif 000004
【図４】
0003682125.tif 000005
【図５】
0003682125.tif 000006
【図６】
0003682125.tif 000007
【図７】
0003682125.tif 000008
【図８】
0003682125.tif 000009
【図９】
0003682125.tif 000010
【図１０】
0003682125.tif 000011